(57)【特許請求の範囲】
【請求項１】
受入れた紙葉類を識別し、該紙葉類の有効性を確認した後、遊技媒体の払出しを許容するとともに、前記受入れた紙葉類を後段に構築された紙葉類回収システムの回収搬送路に送出す遊技媒体貸出装置であって、
前記紙葉類回収システムの回収搬送路の電源状態を監視する電源監視信号と、前記遊技媒体貸出装置に紙葉類を受入れる状態か否かを監視する紙葉類受入れ監視信号と、前記遊技媒体貸出装置から紙葉類を紙葉類回収システムの回収搬送路に送出す状態か否かを監視する紙葉類送出し監視信号の複数の搬送信号を１つのパルス信号にて抽出して、前記遊技媒体貸出装置の紙葉類搬送路を駆動する搬送モータの状態を監視する搬送モータ監視信号及び前記抽出したパルス信号の波形状態を組合せて分析し、この分析した信号の出力状態に基づいて、前記紙葉類回収システムの回収搬送路の電源状態、紙葉類の受入れ可否および紙葉類の送出し可否を判定する判定手段を備え、
前記判定手段が紙葉類を受入れ可能と判定したときに紙葉類の受入れを許容する一方、受入れ不可と判定したときに紙葉類の受入れを拒否し、
紙葉類を送出し可能と判定したときに紙葉類の送出しを許容する一方、送出し不可と判定したときに紙葉類の送出しを拒否する搬送制御を行なう
遊技媒体貸出装置。
【請求項２】
遊技媒体貸出装置の制御部と、この制御部に信号ケーブルを介して接続される前記紙葉類回収システムとの通信接続に際して、
前記紙葉類回収システムからの搬送信号に含まれる電源情報、紙葉類受入れ情報、紙葉類送出し情報とを１本の信号ケーブルにて伝えることを特徴とする
請求項１記載の遊技媒体貸出装置。
【請求項３】
受入れた紙葉類を識別し、該紙葉類の有効性を確認した後、遊技媒体の払出しを許容するとともに、前記受入れた紙葉類を後段に送出す遊技媒体貸出装置と、
前記遊技媒体貸出装置の背面側から紙葉類を回収可能に接続し、前記遊技媒体貸出装置の複数台から送出される紙葉類を共通して回収処理する紙葉類回収システムの回収搬送路と、
前記紙葉類回収システムの回収搬送路の電源状態を監視する電源監視信号と、前記遊技媒体貸出装置に紙葉類を受入れる状態か否かを監視する紙葉類受入れ監視信号と、前記遊技媒体貸出装置から紙葉類を紙葉類回収システムの回収搬送路に送出す状態か否かを監視する紙葉類送出し監視信号の複数の搬送信号を１つのパルス信号にて抽出して、前記遊技媒体貸出装置の紙葉類搬送路を駆動する搬送モータの状態を監視する搬送モータ監視信号及び前記抽出したパルス信号の波形状態を組合せて分析して、前記紙葉類回収システムの回収搬送路の電源状態、紙葉類の受入れ可否および紙葉類の送出し可否を判定する判定手段と、
前記判定手段が紙葉類を受入れ可能と判定したときに紙葉類の受入れを許容する一方、受入れ不可と判定したときに紙葉類の受入れを拒否し、
紙葉類を送出し可能と判定したときに紙葉類の送出しを許容する一方、送出し不可と判定したときに紙葉類の送出しを拒否する搬送制御手段とを備えて構成した
紙葉類搬送制御システム。
【発明の詳細な説明】
【０００１】
【発明が属する技術分野】
この発明は、例えばパチンコ遊技場（遊技ホール）のパチンコ機あるいはパチスロ機などの遊技機に隣設される遊技媒体貸出装置に関し、さらに詳しくは配線の簡素化および低コスト化を図った遊技媒体貸出装置および紙葉類搬送制御システムに関する。
【０００２】
【従来の技術】
近年、上述例のような遊技店内に設置されている遊技媒体貸出装置は、紙幣あるいはプリペイドカードなどの紙葉類を、プレーヤが前面の挿入口より挿入操作して受入れ、内部の紙葉類識別部で識別して紙葉類の有効性を確認した後、パチンコ玉やコイン等の遊技媒体の払出しを許容している。その後、前記受入れた紙葉類を後段に構築された紙葉類回収システムの回収搬送路に送出す構成をとっている。
【０００３】
この場合、プレーヤから遊技媒体貸出装置への紙葉類の受入れ、および遊技媒体貸出装置から紙葉類回収システムへの紙葉類の送出しに際しては、同システムからの制御信号を受けて、紙葉類の受入れ可否を判定し、また送出し可否を判定して紙葉類を受入れ動作し、また紙葉類を適切な受渡しタイミングで回収システム側に送込んでいる。
【０００４】
ところで、前段の遊技媒体貸出装置と後段の回収搬送路との両者間の紙葉類の受渡し制御に際しては、適切なタイミングで紙葉類を受渡し搬送する必要があるため、後段の回収システム側の回収処理状態を的確に検知する必要があり、このために受渡し情報に応じた複数本の信号ケーブルを配線している。
【０００５】
例えば、図５に示すように、ＯＮ・ＯＦＦのタイミングチャートで表される回収システム側の電源監視信号と、遊技媒体貸出装置側の紙幣受入れ監視信号と、遊技媒体貸出装置側の紙幣送出し監視信号と、遊技媒体貸出装置側の搬送モータ監視信号との４信号にて制御管理している。
【０００６】
【発明が解決しようとする課題】
ところが、このような制御管理にした場合は、遊技媒体貸出装置毎に複数本（４本）の信号ケーブルを要して配線が混雑化し、配線工事に多くの時間と作業労力を要してコスト高の原因になっていた。また、トラブル発生時に調査する場合や修理する場合にも同様に多くの手間がかかっていた。
【０００７】
例えば、遊技ホールのように多数の遊技媒体貸出装置が設置されている場合は、これらの装置の全台に対して配線接続する必要があり、多くの部品点数を要することに加えて多大な作業時間と労力を要する問題を有していた。
【０００８】
そこでこの発明は、紙葉類の受渡しタイミングを管理する際、後段側の搬送信号に複数の受渡し情報が含まれていることに着目し、後段側の搬送信号から受渡しに必要な複数の情報を１本化して収集することにより、信号ケーブル数の削減を図った遊技媒体貸出装置および紙葉類搬送制御システムの提供を目的とする。
【０００９】
【課題を解決するための手段】
この発明は、受入れた紙葉類を識別し、該紙葉類の有効性を確認した後、遊技媒体の払出しを許容するとともに、前記受入れた紙葉類を後段に構築された紙葉類回収システムの回収搬送路に送出す遊技媒体貸出装置であって、前記紙葉類回収システムの回収搬送路の電源状態を監視する電源監視信号と、前記遊技媒体貸出装置に紙葉類を受入れる状態か否かを監視する紙葉類受入れ監視信号と、前記遊技媒体貸出装置から紙葉類を紙葉類回収システムの回収搬送路に送出す状態か否かを監視する紙葉類送出し監視信号の複数の搬送信号を１つのパルス信号にて抽出して、前記遊技媒体貸出装置の紙葉類搬送路を駆動する搬送モータの状態を監視する搬送モータ監視信号及び前記抽出したパルス信号の波形状態を組合せて分析し、この分析した信号の出力状態に基づいて、前記紙葉類回収システムの回収搬送路の電源状態、紙葉類の受入れ可否および紙葉類の送出し可否を判定する判定手段を備え、前記判定手段が紙葉類を受入れ可能と判定したときに紙葉類の受入れを許容する一方、受入れ不可と判定したときに紙葉類の受入れを拒否し、紙葉類を送出し可能と判定したときに紙葉類の送出しを許容する一方、送出し不可と判定したときに紙葉類の送出しを拒否する搬送制御を行なうことを特徴とする。
【００１０】
前記紙葉類とは、流通紙幣、価値情報を持たせたカード類の総称である。
【００１１】
前記紙葉類回収システムとは、複数台の遊技媒体貸出装置から紙葉類を共通して回収する回収搬送路を制御管理するものであり、前段の遊技媒体貸出装置から後段へと送出される紙葉類を回収処理する。
【００１２】
前記遊技媒体貸出装置とは、紙葉類が挿入されたとき、その価値情報内で指定された遊技媒体量を貸出す構成を有している。例えば、遊技ホールに設置されるパチンコ遊技機に隣設してパチンコ玉を貸出す台間機で構成する。
【００１３】
前記判定手段とは、ＣＰＵやメモリなどの制御回路で構成することができる。
【００１４】
この発明によれば、回収搬送路側からの搬送信号を分析することにより、この分析値から回収搬送路の駆動情報と、紙葉類の受入れ可否情報と、紙葉類の送出し可否情報とを個別に切分けて検知することができる。
【００１５】
搬送信号をパルス信号にて抽出し、このパルス信号の波形状態を分析して各種の検知情報を求める。
【００１６】
このため、紙葉類の受渡し制御管理用に設けられる複数本の信号ケーブルの配線数を大幅に減らすことができる。
【００１７】
例えば、現状では電源監視信号と、受入れ監視信号と、送出し監視信号と、搬送モータ監視信号との合計４本の信号ケーブルを有していたが、このうち搬送信号の分析結果から電源監視信号と、受入れ監視信号と、送出し監視信号との３信号が同時に解明されるため、３信号を１本に集約して２本分省略できるので搬送信号と搬送モータ監視信号との合計２本で完了する。
【００１８】
この結果、配線数の削減に基づいて低コスト化が図れ、遊技ホールのように多数の遊技媒体貸出装置が設置される場合は、これらの全台に対する配線作業を削減できるため、多大な配線工事時間と作業労力を回避できる。また、遊技媒体貸出装置の調査や修理作業等においても配線が邪魔にならず、簡単で能率のよい作業を実現できる。
【００１９】
【発明の実施の形態】
この発明の一実施の形態を以下図面に基づいて説明する。
図１はパチンコホール等の遊技娯楽施設に構築される紙幣回収システム１１を示し、この紙幣回収システム１１は遊技機１２間に配設される多数の台間機１３…と、多数の台間機１３の背面側に共通して沿設される回収搬送路１４とから構成される。
【００２０】
上述の遊技娯楽施設において、遊技機１２と対をなして隣設される台間機１３には、パチンコ機対応台間機、パチスロ機対応台間機、現金機対応台間機があることは、周知のとおりである。以下、パチンコ機対応台間機について説明する。
【００２１】
上述の台間機１３は、縦長の起立状態で横方向に一定間隔毎に整列配設され、その前面に例えば前面上部より電源ランプ１５と、紙幣挿入口１６と、表示器１７と、コイン投入口１８と、端数ボタンスイッチ１９と、パチンコ玉払出し筒２０と、コイン確認窓２１と、返却口２２と、保守キー２３等を任意の位置に配設して、プレーヤがパチンコ玉を貸出し操作できるように構成している。
【００２２】
このうち、電源ランプ１５は点灯・消灯させて、現在のパチンコ機対応台間機１３の利用可否状態を表示案内している。
【００２３】
その下部に位置する紙幣挿入口１６は、紙幣を１枚ずつ受入れ許容する縦長の開口部を有し、ここにプレーヤが紙幣を挿入操作して挿入された紙幣は内方に取込まれる。
【００２４】
その下部の表示器１７は、挿入された紙幣の金額、あるいはＩＣコインの金額価値の有効残度数の情報を表示する。この表示機能を持たせることにより、プレーヤは遊技利用状況が明確に判り、プレーヤに対するサービス性を高めている。
【００２５】
その下部のコイン投入口１８は、遊技媒体（パチンコ玉）払出し用のデータを持たせたＩＣコインの受付けを可能にしており、このコイン投入口１８と連通する内方にはＩＣコイン処理装置が内蔵されている。
その下部の端数ボタンスイッチ１９は、１００円未満の残度数表示用に設けられ、残度数を確認する場合にプレーヤが入力許容する。
【００２６】
その下部のパチンコ玉払出し筒２０は、プレーヤが指定した払出し金額分のパチンコ玉を、このパチンコ玉払出し筒２０を介して放出する。
【００２７】
その下部のコイン確認窓２１は、投入されたＩＣコインの存在を外部からプレーヤが視認可能に透明窓にて形成している。
【００２８】
その下部の返却口２２には、プレーヤが遊技を中止する場合に、遊技機１２側に設けられた返却ボタンの押下操作に基づいて、この返却口２２にＩＣコインが返却される。
【００２９】
そして、最下部の保守キー２３は係員専用に設けられ、内方の回収箱の開閉操作等に用いられる。
【００３０】
この場合、パチンコ玉の貸出し操作には紙幣２４の使用に限らず、硬貨やプリペイドカードを併用することもできる。
【００３１】
また、台間機１３の背面側には紙幣の送出し口を開口しており、取引確定した紙幣を、この送出し口を介して後述する回収搬送路１４へと１枚ずつ送出し許容している。
【００３２】
次に、回収搬送路１４について説明する。この回収搬送路１４は横方向に一定間隔毎に整列配設された台間機１３…の背面側に沿って横向きに長く搬送路を横設している。この搬送路は、例えば一対の搬送ベルトなどを搬送方向に連設し、その外周囲をフレームで囲って構成され、ここに導かれた紙幣を１枚ずつ後段のメイン回収部へと挟持搬送する。
【００３３】
また、各台間機１３…と対応する回収搬送路１４の位置には受渡し口を開口しており、台間機１３…から送出された紙幣２４を回収可能に接続して、台間機１３から送出される紙幣２４を回収処理する。
【００３４】
図２は台間機１３の制御回路ブロック図を示し、台間機１３を駆動制御する制御部３１は、各種の制御処理、演算処理を実行するＣＰＵ３２、各処理を行わせるプログラムを格納した不揮発性のフラッシュＲＯＭ３３、当日ＩＤコード、暗号化ロジックなどのセキュリティデータ、処理動作に必要なデータを記憶し、電源が断になると記憶情報が消去される揮発性のＲＡＭ３４、上位のデータ管理装置３５と通信可能に接続する通信インターフェース３６、各回路装置に対して入出力を接続するＩ／Ｏインターフェース３７を備える。
【００３５】
前記制御部３１には、電源ランプ１５、紙幣処理装置３８、表示器１７、ＩＣコイン処理装置３９、端数ボタンスイッチ１９、電源装置４０が電気的に接続される。
【００３６】
紙幣処理装置３８は、台間機前面の紙幣挿入口１６から台間機後面の図示しない紙幣送出し口までの間を搬送処理する紙幣搬送路（図面省略）を有し、この紙幣搬送路上に紙幣識別部と一時保留部とを備えて、ここに挿入された紙幣２４の真偽判定、金種判定を実行し、真紙幣であれば、その紙幣を取込んで一時保留するとともに、金額を出力し、偽紙幣であれば逆送して返却する。
【００３７】
また、紙幣の受入れ不可状態のときは挿入口シャッタ（図面省略）を閉鎖して、受入れ規制するようにＣＰＵ３２で制御管理している。
【００３８】
ＩＣコイン処理装置３９は、ＩＣコインに対して非接触状態で情報の送受信を行い、ＩＣコイン情報の読込みおよび書込みを実行する。内部にはＩＣコインを保有でき、ＩＣコインの発行および回収も実行する。
【００３９】
電源装置４０は、外部から供給される電力を動作電力に変換して各回路装置に供給する。
【００４０】
ところで、台間機１３から回収搬送路１４への紙幣２４の送出し制御に際しては、図３に示すように、回収搬送路１４からの紙幣搬送信号を取得するための回収搬送路側の信号ケーブルと、台間機１３の紙幣搬送路を駆動する搬送モータの駆動状態を監視するための台間機側の信号ケーブルとの２本のケーブルを配線して、両信号データを取得している。そして、両信号データを分析して搬送制御することにより円滑に受渡し制御している。
【００４１】
この場合、台間機１３のＣＰＵ３２は回収搬送路１４からの搬送信号をパルス信号にて抽出し、この抽出したパルス信号の波形を分析して、回収搬送路１４の駆動状態、紙幣の受入れ可否および紙幣の送出し可否を判定する。
【００４２】
例えば、図３において回収搬送路１４からの紙幣搬送信号をＣＰＵ３２が分析し、ＯＦＦのときは後段側の回収搬送路１４が停止状態にあって紙幣の受入れを禁止した状態と判定する。一方、同信号がＯＮになれば、回収搬送路１４側が回収可能な状態になり、紙幣の受入れおよび送出し可能な状態になったと判定する。
【００４３】
また、同信号がＯＮであっても、もう一方の搬送モータ監視信号（台間機）の出力状態から紙幣識別部での識別中であることを検知すれば識別可否が分るまで送出し禁止する。
【００４４】
上述の搬送信号の分析時に、ＣＰＵ３２はパルス信号Ｐの出力値を分析してハイ・ローの出力状態をチェックするだけで、回収搬送路の電源ＯＮ・ＯＦＦの状態を監視することができ、またこれに基づいて現在の紙幣の受入れ可否と紙幣の送出し可否とを監視することができる。
【００４５】
このように、回収搬送路１４からの紙幣搬送信号と、台間機１３の搬送モータ監視信号との両信号を組合せて分析するので、台間機１３での紙幣の搬送制御に必要な電源監視信号と、受入れ監視信号と、送出し監視信号と、搬送モータ監視信号との４信号のデータ内容が分り、この結果、２信号で済み、台間機１台当り２本の信号ケーブルを配線するだけで紙幣の搬送を制御管理できることになる。
【００４６】
したがって、ＣＰＵ３２が紙幣を受入れ可能と判定したときは、挿入口シャッタを開口し、搬送モータを駆動して紙幣の受入れを許容し、受入れ不可と判定したときは、挿入口シャッタを閉じて紙幣の受入れを拒否する。また、ＣＰＵ３２が紙幣を送出し可能と判定したときは、搬送モータを駆動して紙幣の送出しを許容し、送出し不可と判定したときは、搬送モータの停止状態を保って紙幣の送出しを拒否する。このように、ＣＰＵ３２はプレーヤから台間機１３への紙幣の受入れと、台間機１３から、その背面側に配設される回収搬送路１４への紙幣２４の送出しとを制御する。
【００４７】
このように構成された紙幣回収システム１１の紙幣処理動作を図４のフローチャートを参照して説明する。
【００４８】
各台間機１３毎に設けられるＣＰＵ３２は、回収搬送路１４側からの搬送信号の有無をチェックし（ステップｎ１）、
ＯＦＦのときは回収搬送路１４が電源断で、回収停止状態にあるため、紙幣の受入れと送出しを禁止した状態にある（ステップｎ２）。
【００４９】
これに対し、回収搬送路１４から搬送信号（ＯＮ）を受けると、ＣＰＵ３２は回収搬送路１４が回収許容状態にあるため、台間機１３を稼動してプレーヤからの紙幣２４の受入れを許容し、また受入れた紙幣を搬送可能にするため台間機１３の搬送モータを駆動する（ステップｎ３）。
【００５０】
この受入れ許容状態でプレーヤが紙幣挿入口１６に紙幣を挿入操作すると、挿入された紙幣は紙幣搬送路を介して内部の一時保留部に一時保留される（ステップｎ４）。
【００５１】
その後、紙幣の有効性を識別するために紙幣識別部へと搬送する（ステップｎ５）。
【００５２】
このとき、ＣＰＵ３２は紙幣の受入れ可否を判定し（ステップｎ６）、
回収搬送路１４の電源ＯＦＦの場合は、紙幣受入れ不可のため、台間機１３内への受入れを規制し（ステップｎ７）、
回収搬送路１４の電源ＯＮの場合は、紙幣の受入れが可能であることを認識し、その後、紙幣識別部で紙幣を識別したときに（ステップｎ８）、
挿入された紙幣が偽紙幣や識別不良紙幣のために無効と識別した場合は、その紙幣を逆送して紙幣挿入口１６に返却する（ステップｎ９）。
【００５３】
一方、紙幣識別部で有効と認められた紙幣は、台間機１３の搬送モータを駆動して、紙幣を紙幣識別部から一時保留部へと搬送する（ステップｎ１０）。
【００５４】
このとき、ＣＰＵ３２は回収搬送路１４側への回収許可が出るまで搬送信号に対してはパルス信号（ＯＮ−ＯＦＦ）を出力させて回収許可が出たか、否かを判定し（ステップｎ１１）、
回収許可が出ないうちは回収搬送路１４側への送出しを禁止して待機させる（ステップｎ１２）。
【００５５】
回収搬送路１４への搬送許可が出ると、紙幣搬送信号がＯＮ（紙幣受入れ可能）になり、ＣＰＵ３２は台間機１３の搬送モータを駆動して紙幣を一時保留部から回収搬送路１４へ送出し搬送する（ステップｎ１３）。
【００５６】
上述の回収搬送路の駆動情報と、紙幣の受入れ可否情報と、紙幣の送出し可否情報は、回収搬送路１４からの搬送信号を分析して個別に切分けることにより、検知することができる。
【００５７】
例えば、搬送信号をパルス信号にて抽出し、このパルス信号の波形出力状態を分析すれば、搬送管理に必要な複数の検知情報を一括して効率よく求めることができる。このため、紙幣の受渡し搬送制御用に設けられる複数の情報を１通信にて管理できるため、信号ケーブルの配線数を確実に減らすことができる。
【００５８】
この結果、配線数の削減に基づいて低コスト化が図れ、遊技ホールのように多数の台間機が設置される場合は、これらの全台に対する配線作業を削減できるため、多大な配線工事時間と作業労力を回避できる。また、台間機の調査や修理作業等においても配線が邪魔にならず、簡単で能率のよい作業を実現できる。
【００５９】
上述のように、搬送信号を分析することにより、この分析値から回収搬送路の駆動情報と、紙幣の受入れ可否情報と、紙幣の送出し可否情報とを個別に切分けて検知することが可能になり、それゆえ紙幣の受渡し制御管理用に設けられる複数本の信号ケーブルの配線数を大幅に減らすことができる。
【００６０】
ことに、遊技ホールのように多数の台間機が設置されている場合は、これらの台間機の全台に対して配線する必要があるが、１台当りの台間機に要する配線作業時間を確実に短縮できるため、能率のよい配線作業と簡素化した配線を実現できる。
【００６１】
この発明の構成と、上述の一実施の形態との対応において、
この発明の紙葉類は、実施の形態の紙幣２４に対応し、
以下同様に、
この発明の紙葉類回収システムは、紙幣回収システム１１に対応し、
遊技媒体貸出装置は、台間機１３に対応し、
判定手段および搬送制御手段は、ＣＰＵ３２に対応するも、この発明は上述の一実施の形態のみに限定されるものではなく、多くの実施の形態を得ることができる。
【００６２】
【発明の効果】
この発明によれば、１つの搬送信号の分析結果から複数の信号を同時に解明できるため、信号ケーブル数の削減が可能になり、この結果、配線工事時間を短縮でき、また作業労力を軽減することができる。
【図面の簡単な説明】
【図１】  紙幣回収システムの台間機と回収搬送路を示す要部斜視図。
【図２】  台間機の制御回路ブロック図。
【図３】  台間機で制御管理されるタイミングチャート。
【図４】  紙幣回収システムの処理動作を示すフローチャート。
【図５】  従来の台間機で制御管理されるタイミングチャート。
【符号の説明】
１１…紙幣回収システム
１３…台間機
１４…回収搬送路
１６…紙幣挿入口
２４…紙  幣
３２…ＣＰＵ
【図１】
0004310955.tif 000002
【図２】
0004310955.tif 000003
【図３】
0004310955.tif 000004
【図４】
0004310955.tif 000005
【図５】
0004310955.tif 000006